(57)【特許請求の範囲】
【請求項１】
移動パケット交換網を含む複数のパケット交換網を相互に接続する中継装置であって、
前記移動パケット交換網に属する移動端末と前記複数のパケット交換網のいずれかのパケット交換網に属する端末との間で通信接続するために前記移動端末から送信される接続先パケット交換網の識別情報を受信するパケット送受信手段と、
前記移動端末の端末識別情報と、その移動端末が接続可能なパケット交換網に関する情報を記憶する情報管理手段と、
前記移動端末が前記接続先パケット交換網に接続するために送信した接続要求信号に含まれる前記移動端末の端末識別情報に基づいて前記情報管理手段を参照して前記移動端末が接続先パケット交換網に接続可能か否かを判断するとともに前記移動端末から送信される接続先パケット交換網の識別情報に基づいて接続先パケット交換網を特定し、前記判断結果に応じて前記特定した接続先パケット交換網に対する接続許可または接続拒否を判定する網間接続制御手段と、
中継されたパケット信号のデータ量と接続されるパケット交換網の料金体系に応じて通信料金を算出する課金処理手段とを含み、
前記パケット送受信手段は、前記特定された接続先パケット交換網に対する接続許可の判定がされた場合に、前記特定された接続先パケット交換網と前記移動パケット交換網の間でパケット信号を中継する
ことを特徴とする中継装置。
【請求項２】
移動パケット交換網に属する移動端末と、この移動パケット交換網に中継装置を介して接続される複数のパケット交換網に属する複数の端末との間でパケット接続するためのパケット交換方法であって、
前記移動端末は接続先の第一のパケット交換網の識別情報を含む接続要求信号を送信し、
この接続要求信号を受信した前記中継装置は前記識別情報に基づいて接続先の第一のパケット交換網を特定して、その特定した第一のパケット交換網と前記移動パケット交換網との間でパケット信号を中継し、
前記移動端末は前記第一のパケット交換網との間の接続を維持したまま第二のパケット交換網の識別情報を含む第二の接続要求信号を送信し、
この第二の接続要求信号を受信した前記中継装置は前記識別情報に基づいて接続先の第二のパケット交換網を特定して、その特定した第二のパケット交換網と前記移動パケット交換網との間でパケット信号を中継する
ことを特徴とするパケット交換方法。
【請求項３】
移動パケット交換網を含む複数のパケット交換網と、これらのパケット交換網を相互に接続する中継装置と、各々のパケット交換網に属する端末から構成される通信システムにおける移動端末の通信方法であって、
第一のパケット交換網の識別情報を含む送信要求信号を送信し、
前記中継装置から前記送信要求信号に対する応答信号を受信すると前記第一のパケット交換網に向けて通信パケットを送信し、
前記第一のパケット交換網との間の接続を維持したまま第二のパケット交換網の識別情報を含む第二の送信要求信号を送信し、
前記中継装置から前記第二の送信要求信号に対する応答信号を受信すると前記第二のパケット交換網に向けて通信パケットを送信する
ことを特徴とする移動端末の通信方法。
【請求項４】
前記中継装置は少なくとも関門中継交換局と、当該関門中継交換局に含まれる課金処理部又は当該関門中継交換局とは異なるノードに設けられた課金処理部とを備え、
前記中継装置において中継されたパケット信号のデータ量と接続されるパケット交換網の料金体系に応じて通信料金を算出することを特徴とする
請求項２に記載のパケット交換方法。
【発明の詳細な説明】
【０００１】
【発明の属する技術分野】
この発明は、移動パケット通信網、移動通信端末およびパケット交換方法に関する。
【０００２】
【従来の技術】
近年、移動通信の分野においては、パケット交換によりデータ通信を行う移動パケット通信システムが各種開発されている。例えば、固定通信網と移動通信網を関門中継交換局を介して接続し、固定通信端末と移動通信端末の間で相互にパケットを交換するなど単一の移動パケット交換網内のみならず、複数の異なるパケット交換網をまたがってパケット交換を行うシステムが知られている。
【０００３】
【発明が解決しようとする課題】
ところが、従来の移動パケット通信システムは、複数のパケット交換網をまたがったパケット交換を行うものであっても、移動通信端末が属することができる他のパケット交換網（すなわち、当該移動通信端末の交換相手となる通信端末と共に属することができるパケット交換網）は１つに限られており、極めて限定的なパケット交換サービスしか提供することができないという欠点があった。
【０００４】
この発明は、このような背景の下になされたもので、移動通信端末が複数のパケット交換網の中から所望のパケット交換網を選択してパケット交換を行うことができる移動パケット通信網、移動通信端末およびパケット交換方法を提供すること目的としている。
【０００５】
また、この発明の他の目的は、接続されたパケット交換網ごとにパケット交換サービスに対する料金を課金することができる移動パケット通信網を提供することにある。
【０００６】
さらに、この発明の他の目的は、接続を切ることなく交換相手の通信端末が属するパケット交換網を変更することができるパケット交換方法を提供することにある。
【０００７】
【課題を解決するための手段】
上述した課題を解決するために、本発明は、移動パケット交換網を含む複数のパケット交換網を相互に接続する中継装置であって、前記移動パケット交換網に属する移動端末と前記複数のパケット交換網のいずれかのパケット交換網に属する端末との間で通信接続するために前記移動端末から送信される接続先パケット交換網の識別情報を受信し、その識別情報から接続先パケット交換網を特定する特定手段と、前記特定された接続先パケット交換網と前記移動パケット交換網の間でパケット信号を中継するパケット送受信手段とを含む中継装置を提供する。
【０００８】
前記中継装置の前記特定手段は、前記移動端末の端末番号情報及びその移動端末が属する移動パケット交換網に関する情報を記憶する情報管理手段と、前記移動端末が前記接続先パケット交換網に接続するために送信した接続要求信号に含まれる前記移動端末の端末識別情報に基づいて前記情報管理手段を参照して前記移動端末が接続先パケット交換網に属するか否かを判断し、この判断結果に応じて接続または接続拒否を行う網間接続制御手段とを含むようにしてもよい。
【０００９】
また、前記中継装置は、前記移動端末から送信された接続先パケット交換網の識別情報と中継装置が有する接続先パケット交換網の識別情報とを変換する識別情報変換手段をさらに含むようにしてもよい。
【００１０】
また、前記中継装置は、中継されたパケット信号のデータ量と接続されるパケット交換網の料金体系に応じて通信料金を算出する課金処理手段をさらに含むようにしてもよい。
【００１１】
また、本発明は、移動パケット交換網に属する移動端末と、この移動パケット交換網に中継装置を介して接続されるパケット交換網に属する端末との間でパケット接続するためのパケット交換方法であって、前記移動端末は接続先のパケット交換網の識別情報を含む接続要求信号を送信し、この接続要求信号を受信した前記中継装置は前記識別情報に基づいて接続先パケット交換網を特定して、その特定したパケット交換網と前記移動パケット交換網との間でパケット信号を中継するパケット交換方法を提供する。
【００１２】
また、本発明は、移動パケット交換網に属する移動端末と、この移動パケット交換網に中継装置を介して接続される複数のパケット交換網に属する複数の端末との間でパケット接続するためのパケット交換方法であって、前記移動端末は接続先の第一のパケット交換網の識別情報を含む接続要求信号を送信し、この接続要求信号を受信した前記中継装置は前記識別情報に基づいて接続先の第一のパケット交換網を特定して、その特定した第一のパケット交換網と前記移動パケット交換網との間でパケット信号を中継し、前記移動端末は前記第一のパケット交換網との間の接続を維持したまま第二のパケット交換網の識別情報を含む第二の接続要求信号を送信し、この第二の接続要求信号を受信した前記中継装置は前記識別情報に基づいて接続先の第二のパケット交換網を特定して、その特定した第二のパケット交換網と前記移動パケット交換網との間でパケット信号を中継するパケット交換方法を提供する。
【００１３】
また、本発明は、移動パケット交換網を含む複数のパケット交換網と、これらのパケット交換網を相互に接続する中継装置と、各々のパケット交換網に属する端末から構成される通信システムにおける移動端末の通信方法であって、第一のパケット交換網の識別情報を含む送信要求信号を送信し、前記中継装置から前記送信要求信号に対する応答信号を受信すると前記第一のパケット交換網に向けて通信パケットを送信し、前記第一のパケット交換網との間の接続を維持したまま第二のパケット交換網の識別情報を含む第二の送信要求信号を送信し、前記中継装置から前記第二の送信要求信号に対する応答信号を受信すると前記第二のパケット交換網に向けて通信パケットを送信する移動端末の通信方法を提供する。
【００１４】
ここで、接続先パケット交換網は、固定パケット交換網、移動パケット交換網のいずれでもよい。接続先パケット交換網に属する端末は、接続先パケット交換網が固定パケット交換網であれば固定通信端末であるし、接続先パケット交換網が移動パケット交換網であれば移動通信端末である。
また、移動パケット通信網及び接続先パケット交換網は、物理的には１つの移動パケット交換網であっても識別情報によって区別される仮想的な複数の移動パケット交換網であってもよい。
【００１５】
【発明の実施の形態】
以下、図面を参照して、この発明の実施形態について説明する。
Ａ：実施形態の構成
図１は、本発明の一実施形態にかかる移動パケット通信システムを示すブロック図である。同図において、移動通信端末１，２，……は、共通の移動パケット交換網２０に属し、互いにパケット交換を行う。この移動パケット交換網２０は、移動通信端末１，２，……が在圏する各エリア２１，２２，……を管理する加入者交換局３１，３２，……及び関門中継交換局３０によって構成される。各加入者交換局３１，３２，……は、各々のエリア２１，２２，……に在圏する移動通信端末間及びこれらと他の通信端末（移動通信端末または固定通信端末）との間のパケット交換を制御する。また、関門中継交換局３０は、移動パケット交換網２０とは異なる事業者によって提供される固定パケット交換網４１，４２と各加入者交換局３１，３２，……の間でパケット交換を中継する。すなわち、移動通信端末１，２，……は、移動パケット交換網２０に属するほか、関門中継交換局３０を介して接続される複数の異なる固定パケット交換網４１，４２にも属しており、それぞれの交換網４１，４２に属する固定通信端末５１，５２，……との間でパケット交換を行う。
【００１６】
図２は、図１に示す加入者交換局３１の構成を示す機能ブロック図である。加入者交換局３１は、エリア２１に在圏する移動通信端末（例えば図１に示す移動通信端末１）と関門中継交換局３０との間でパケットの送受信を行うパケット送受信機３１ａと、位置登録その他のエリア２１の制御を行うエリア制御部３１ｂからなっている。なお、各加入者交換局の下位には移動通信端末との間で無線通信を行う図示しない複数の基地局装置が接続されている。
また、図示は省略するが、他の加入者交換局も各々が管理するエリアに関して加入者交換局３１と同様の構成を有している。
【００１７】
図３は、図１に示す関門中継交換局３０の構成を示す機能ブロック図である。関門中継交換局３０は、パケット送受信機３０ａ、課金処理部３０ｂ、識別番号変換部３０ｃおよびアクセスポイント３０ｄからなっている。パケット送受信機３０ａは、固定パケット交換網４１，４２と移動パケット交換網２０を構成する加入者交換局３１，３２……との間でパケットの送受信を中継する。課金処理部３０ｂは、各移動通信端末について、各々がパケットの送受信を行う間、接続されているパケット交換網ごとに送受信されるデータ量をカウントし、該データ量に応じた通信料金を算出する。識別番号変換部３０ｃは、移動通信端末１，２……によって指定される接続先の固定パケット交換網４１，４２の識別番号と関門中継交換局３０が保持する固定パケット交換網４１，４２の識別番号とを相互に変換する。すなわち、固定パケット交換網４１，４２は、識別番号によって特定されるが、移動通信端末１，２……が指定する識別番号の番号体系と関門中継交換局３０が管理する識別番号の番号体系とは異なることから、上記のような識別番号の変換が行われる。
【００１８】
アクセスポイント３０ｄは、図４に示すように、情報管理部３０１ｄと網間接続制御部３０２ｄからなっており、異なるパケット交換網間のインタフェースを提供する。情報管理部３０１ｄは、各移動通信端末１，２……及び各固定通信端末５１，５２……がどのパケット交換網に属しているかを示す情報として、パケット交換網の識別番号ごとにそのパケット交換網に属する通信端末の端末番号（通信端末に固有の識別番号）のリストを記録した参照テーブルを保持している。網間接続制御部３０２ｄは、第１のパケット交換網に属する通信端末から第２のパケット交換網に対して接続要求があった場合、その接続要求信号に含まれる端末番号によって情報管理部３０１ｄの参照テーブルを参照し、当該接続要求を出した通信端末が第２のパケット交換網に属するか否かを判断するとともに、当該接続要求に対して回線資源の割り当てが可能か否かを判断し、これら判断結果に応じて接続応答もしくは拒否応答を返送する。そして、接続が可能であれば網間の接続が可能な状態に遷移させる。
【００１９】
Ｂ：実施形態の動作
次に、上記構成からなる実施形態の動作を説明する。
はじめに、図５に示すシーケンス図を参照し、移動通信端末１から固定パケット交換網４１に属する固定通信端末５１に対してパケットの送信を開始する場合の動作を説明する。なお、図５においては、説明の便宜上、関門中継交換局３０からアクセスポイント３０ｄを抜き出し、アクセスポイント３０ｄを除いた関門中継交換局３０の部分とアクセスポイント３０ｄとを分けて示している。
【００２０】
同図に示すように、まず移動通信端末１が同じ固定パケット交換網４１に属する固定通信端末５１との間でパケット交換を開始する場合、操作者が移動通信端末１において固定パケット交換網４１の識別番号を入力し、発信操作を行う。この操作に応じて、移動通信端末１は、加入者交換局３１を介して関門中継交換局３０に接続要求信号を送信する（ステップＳ１）。
【００２１】
関門中継交換局３０は、移動通信端末１からの接続要求信号をパケット送受信機３０ａにより受信すると、識別番号変換部３０ｃにおいて、移動通信端末１よって指定された識別番号を自局が保持する固定パケット交換網４１の識別番号に変換し、接続要求信号を変換後の識別番号とともにアクセスポイント３０ｄへ送信する（ステップＳ２）。
【００２２】
接続要求信号を受信したアクセスポイント３０ｄは、該要求とともに受信した識別番号に対応する固定パケット交換網４１とパケット送受信を行うための準備を開始する。このとき、アクセスポイント３０ｄは、接続要求信号に含まれる移動通信端末１の端末番号によって情報管理部３０１ｄの参照テーブルを参照し、移動通信端末１が固定パケット交換網４１に属するか否か、及び当該接続要求に対して回線資源を割り当て可能であるか否かを判断する。そして、固定通信端末５１との間でパケットの送受信が可能な状態に遷移すると、関門中継交換局３０のパケット送受信機３０ａ及び加入者交換局３１を介して移動通信端末１へ接続応答信号を返送する（ステップＳ３，Ｓ４）。
【００２３】
こうして、接続応答を受けた移動通信端末１は、加入者交換局３１及び関門中継交換局３０（アクセスポイント３０ｄを含む）を介し、パケット交換網４１に属する固定通信端末５１に対してパケットを送信することが可能となる（ステップＳ５）。
【００２４】
なお、移動通信端末１が同じ固定パケット交換網４２に属する固定通信端末５２との間でパケット通信を開始する場合も、上記と同様の動作となる。
【００２５】
また、関門中継交換局３０の課金処理部３０ｂにおいては、各移動通信端末１，２，……のパケット送受信に伴い、個々の通信接続ごとに送受信されたパケットのデータ量をカウントし、該データ量と接続された固定パケット交換網の各料金体系に応じた通信料金が算出され、該算出金額が課金される。
【００２６】
次に、図６に示すシーケンス図を参照し、固定パケット交換網４１に属する固定通信端末５１から移動通信端末１に対してパケットの送信を開始する場合の動作を説明する。なお、図６においても図５と同様、説明の便宜上、関門中継交換局３０からアクセスポイント３０ｄを抜き出し、アクセスポイント３０ｄを除いた関門中継交換局３０の部分とアクセスポイント３０ｄとを分けて示している。
【００２７】
図６に示すように、関門中継交換局３０のアクセスポイント３０ｄは、固定パケット交換網４１に属する固定通信端末５１から移動通信端末１を宛先とするパケットを受信すると（ステップＳ１′）、当該パケットのヘッダに含まれる固定通信端末５１のアドレスからその固定通信端末５１が属する固定パケット交換網４１を認識し、パケット送受信機３０ａに対して当該固定パケット交換網４１の識別番号を指定するとともに通信開始を要求する（ステップＳ２′）。
【００２８】
上記通信開始の要求を受けたパケット送受信機３０ａは、識別番号変換部３０ｃにおいてアクセスポイント３０ｄにより指定された関門中継交換局３０が保持する固定パケット交換網４１の識別番号を移動通信端末１から指定するときの固定パケット交換網４１の識別番号に変換したものを移動通信端末１に通知し、通信開始を要求する（ステップＳ３′）。
【００２９】
通信開始要求を受信した移動通信端末１は、該要求とともに受信した識別番号を当該端末の表示部（図示略）に表示する。この表示を見た操作者がパケット受信に応じる場合は、当該待ち受け状態を継続させる。すると、移動通信端末１は、関門中継交換局３０に対して上記ステップＳ３′で通知された固定パケット交換網４１の識別番号を返送し、接続要求を出す（ステップＳ４′）。一方、操作者がパケット受信に応じない場合には電源をオフする等により当該要求を拒否する。
【００３０】
移動通信端末１からの接続要求を受けた関門中継交換局３０のパケット送受信機３０ａは、該要求とともに受信した識別番号に対応する関門中継交換局３０が保持する固定パケット交換網４１の識別番号（パケット送受信機３０ａは、識別番号変換部３０ｃにおける変換前と変換後の識別番号を対応づけて記憶している）をさらにアクセスポイント３０ｄに渡し、当該接続要求を転送する（ステップＳ５′）。
【００３１】
接続要求を受けたアクセスポイント３０ｄは、該接続要求とともに受信した識別番号に該当する固定パケット交換網４１とパケット送受信を開始するための準備を開始し、固定通信端末５１との間でパケットの送受信が可能な状態に遷移すると、関門中継交換局３０のパケット送受信機３０ａ及び加入者交換局３１を介して移動通信端末１へ接続応答信号を返送する（ステップＳ６′，Ｓ７′）。
【００３２】
こうして、接続応答を受けた移動通信端末１は、加入者交換局３１及び関門中継交換局３０（アクセスポイント３０ｄを含む）を介し、固定パケット交換網４１に属する固定通信端末５１からパケットを受信することが可能となる（ステップＳ８′）。
【００３３】
なお、固定パケット交換網４２に属する固定通信端末５２から移動通信端末１に対してパケットの送信を開始する場合も、上記と同様の動作となる。
【００３４】
また、この場合も、関門中継交換局３０の課金処理部３０ｂにおいては、各移動通信端末１，２，……のパケット送受信に伴い、個々の通信接続ごとに送受信されたパケットのデータ量をカウントし、該データ量と接続された固定パケット交換網の各料金体系に応じた通信料金が算出され、該算出金額が課金される。
【００３５】
次に、図７に示すシーケンス図を参照し、１回の通信開始要求で、移動通信端末１から固定パケット交換網４１，４２に属する固定通信端末５１，５２に対して送信先を切り換えてパケットの送信を行う場合の動作を説明する。なお、図７においても図５及び図６と同様、説明の便宜上、関門中継交換局３０からアクセスポイント３０ｄを抜き出し、アクセスポイント３０ｄを除いた関門中継交換局３０の部分とアクセスポイント３０ｄとを分けて示している。
【００３６】
図７に示すように、移動通信端末１は、図５に示すステップＳ１〜Ｓ５と同様の手順で固定パケット交換網４１に属する固定通信端末５１に対してパケットを送信した後（ステップＳ１″〜Ｓ５″）、固定パケット交換網５２に属する固定通信端末５２に送信先を切り換える場合、当該接続を切ることなく、固定パケット交換網５２に対する接続要求を出す。そして、移動通信端末１は、固定通信端末５１に対してパケットを送信する場合と同様の手順で固定パケット交換網４２に属する固定通信端末５２に対してパケットを送信する（ステップＳ６″〜Ｓ１０″）。さらに、固定パケット交換網５１に属する固定通信端末５１に送信先を切り換える場合は、同じく当該接続を切らずに、上記ステップＳ１″〜Ｓ５″と同様の手順で固定パケット交換網４１に属する固定通信端末５１に対してパケットを送信する（ステップＳ１１″〜Ｓ１５″）。
【００３７】
Ｃ：変更例
なお、本発明は、上記実施形態に限定されることはなく、例えば以下のような変形例を含むものである。
（１）本発明は、図１に示した実施形態に限らず、その他の網形態からなるシステムにも適用可能である。例えば、実施形態の如く関門中継交換局３０を介して固定パケット交換網４１，４２が接続されるのではなく、図８に示すように、関門中継交換局３０を介して移動パケット交換網２０とは異なる事業者の移動パケット交換網４１′，４２′が接続されている場合にも適用可能である。この場合、実施形態の固定パケット交換網４１，４２を移動パケット交換網４１′，４２′に、固定通信端末５１，５２を移動通信端末５１′，５２′にそれぞれ置き換えれば、その他の構成、動作は実施形態と同様である。
【００３８】
また、本発明は、例えば図９に示すように、１つの移動パケット交換網２０の中で閉じたシステムにも適用可能である。すなわち、物理的には１つの移動パケット交換網２０を複数の仮想的な移動パケット交換網２０ａ，２０ｂ，……からなるものとし、各移動通信端末１，２，……がこれら仮想的な移動パケット交換網２０ａ，２０ｂ，……の内どの移動パケット交換網に属するかを示す情報を移動パケット交換網の識別番号及び端末番号を用いて情報管理部３０１ｄの参照テーブルに記録しておけば、実施形態と同様、移動通信端末が異なる複数の仮想的な移動パケット交換網に属し、かつ、指定した仮想移動パケット交換網をまたがったパケット交換を行うことが可能となる。
【００３９】
これらに限らず、本発明は、その他の網形態にも適用可能であるし、すべてのパケット交換網が同一事業者に属するのであれば、関門中継交換局３０は、通常の中継交換局でもよく、また、１つの交換局が関門中継交換局３０と加入者交換局３１の機能を併せ持つようにしてもよい。つまり、各移動通信端末が複数のパケット交換網に属しこれらを切り換えてパケット交換を行う構成であれば網の形態は特に限定されない。
【００４０】
（２）また、本発明は、実施形態のようにパケット交換網の識別番号の変換を関門中継交換局３０において行うのではなく、識別番号変換部３０ｃを別のノードに設けるようにしてもよい。例えば、いずれかの加入者交換局に設けることも可能であり、その場合は移動通信端末が在圏する加入者交換局から識別番号変換部３０ｃを持つ加入者交換局に識別番号の変換を依頼するように構成すればよい。また、各加入者交換局に識別番号変換部３０ｃを設ける構成をとることも可能である。同様に、アクセスポイント３０ｄや課金処理部３０ｂについても門中継交換局３０とは異なるノードに設けるようにしてもよい。
【００４１】
（３）また、実施形態においては、関門中継交換局３０で保持するパケット交換網ごとの識別番号の番号体系と移動通信端末によって指定される識別番号の番号体系とが異なることを前提としていることから、関門中継交換局３０に識別番号変換部３０ｃを設けて番号の変換を行うようにしている。しかし、双方の番号体系が統一されている場合には、実施形態のような識別番号の変換はもちろん不要である。
【００４２】
（４）また、実施形態のステップＳ５′（図６参照）においては、関門中継交換局３０のパケット送受信機３０ａが識別番号変換部３０ｃにおける変換前と変換後の識別番号を対応づけて記憶するものとして説明したが、これに限らず、例えば加入者交換局３１が識別番号変換部３０ｃにおける変換前と変換後の識別番号を対応づけて記憶しておき、ステップＳ４′における移動通信端末１からの接続要求に応じて、該要求とともに受信した識別番号に対応する関門中継交換局３０が保持する固定パケット交換網４１の識別番号を関門中継交換局３０に渡すようにしてもよい。
【００４３】
（５）また、本発明は、移動パケット交換網２０に属するすべての移動通信端末１，２，……が複数のパケット交換網に属する場合に限らず、複数のパケット交換網に属する移動通信端末と単一のパケット交換網に属する移動通信端末とが混在している場合にも適用可能である。例えば実施形態の場合、どの移動通信端末がどのパケット交換網に属するかについての情報は情報管理部３０１ｄの参照テーブルに記録されているのであるから、この情報を基に上記のように属性の異なる移動通信端末が混在する場合にも対応可能である。
【００４４】
（６）さらに、実施形態ではパケットで交換すべきデータの種類については特に言及しなかったが、本発明は、いわゆる文字データに限らず、音声や画像をディジタル化したデータなど種々のデータを対象とするものである。
【００４５】
【発明の効果】
以上説明したように、この発明によれば、移動通信端末は複数のパケット交換網の中から所望の第２のパケット交換網を選択して第１のパケット交換と第２のパケット交換網をまたがったパケット交換を行うことができる。
また、請求項３記載の発明によれば、移動通信端末が指定する識別情報の体系と網内の識別情報の体系とが異なる場合にも対応可能となる。
また、請求項４記載の発明によれば、接続されたパケット交換網に応じて提供したパケット交換サービスに対する料金を課金することができる。
また、請求項６または７記載の発明によれば、接続を切ることなく第２のパケット交換網から第３のパケット交換網にパケットの交換先を切り換えることができる。
【図面の簡単な説明】
【図１】本発明の一実施形態にかかる移動パケット通信システムを示すブロック図である。
【図２】同実施形態にかかる加入者交換局の構成を示す機能ブロック図である。
【図３】同実施形態にかかる関門中継交換局の構成を示す機能ブロック図である。
【図４】同実施形態にかかるアクセスポイントの構成を示す機能ブロック図である。
【図５】同実施形態において移動通信端末から固定パケット交換網に属する固定通信端末に対してパケットの送信を開始する場合の動作を示すシーケンス図である。
【図６】同実施形態において固定パケット交換網に属する固定通信端末から移動通信端末に対してパケットの送信を開始する場合の動作を示すシーケンス図である。
【図７】１回の通信開始要求で移動通信端末から固定パケット交換網に属する固定通信端末に対して送信先を切り換えてパケットの送信を行う場合の動作を示すシーケンス図である。
【図８】本発明を関門中継交換局を介して異なる事業者の移動パケット交換網が接続される網形態に適用した変形例を示すブロック図である。
【図９】本発明を１つの移動パケット交換網の中で閉じたシステムに適用した変形例を示すブロック図である。
【符号の説明】
１，２  移動通信端末
２０  移動パケット交換網（第１のパケット交換網）
２１，２２  在圏エリア
３０  関門中継交換局（特定手段、判断手段、中継手段）
３１，３２  加入者交換局
４１，４２  固定パケット交換網（第２のパケット交換網）
５１，５２  固定通信端末
３０ａ，３１ａ  パケット送受信機（中継手段）
３０ｂ  課金処理部（課金手段）
３０ｃ  識別番号変換部（変換手段）
３０ｄ  アクセスポイント（特定手段、判断手段、中継手段）
３１ｂ  エリア制御部
３０１ｄ  情報管理部（特定手段）
３０２ｄ  網間接続制御部（判断手段、中継手段）
【図１】
0003540588.tif 000002
【図２】
0003540588.tif 000003
【図３】
0003540588.tif 000004
【図４】
0003540588.tif 000005
【図５】
0003540588.tif 000006
【図６】
0003540588.tif 000007
【図７】
0003540588.tif 000008
【図８】
0003540588.tif 000009
【図９】
0003540588.tif 000010